(57)【要約】【課題】大きな知力開発効果を奏する回転可球体玩具を提供すること。【解決手段】本考案はいくつかの回転部からできた回転可球体玩具に関するものである。いくつかの回転部は共に一つ球体を構成し、隣りあう上記回転部は共にレールまた溝によって合っており、上記回転部のそれぞれはレールに沿って自由に滑ることができるものである。このような回転可球体玩具では、上記回転部がきつく繋がり、自由に滑ることができるので、利用者の知力を大いに高めることができる。【選択図】図１
0003124602.tif 000002
【実用新案登録請求の範囲】
【請求項１】
いくつかの回転部からできた回転可球体玩具であって、
いくつかの上記回転部は共に一つの球体を構成し、
隣りあう上記回転部はレールまたは溝によって合っており、上記回転部のそれぞれがレールに沿って自由に滑ることができることを特徴とする回転可球体玩具。
【請求項２】
溝に沿って上記回転部のそれぞれが、中置きレールによって滑ることができることを特徴とする請求項１に記載の回転可球体玩具。
【請求項３】
上記レールのそれぞれが“T”の形を呈して、横の方向の接続部と縦の方向の接続部を有しており、
二つ隣り合っている上記回転部は、各自の横接続部の両端に溝があることを特徴とする請求項２に記載の回転可球体玩具。
【請求項４】
上記回転部のそれぞれが畳んである一枚の内壁と一枚の外壁とを備え、
上記内壁および上記外壁のへりのところに溝があることを特徴とする請求項３に記載の回転可球体玩具。
【請求項５】
上記回転部のそれぞれにおける内壁の表面のへりに、発展方向が隣りあっているへりと同様の凹む溝を備えており、
上記レールのそれぞれにおける横連接部の両端には、鈎が設けられており、
上記レールが二つ隣りの回転部に挟まれる時、レールの鈎は内壁の凹む溝にのこることを特徴とする請求項４に記載の回転可球体玩具。
【請求項６】
上記回転部のそれぞれが上記内壁の内側に据え付けられた固定用の支柱を備えていることを特徴とする請求項４に記載する回転可球体玩具。
【請求項７】
ねじによって上記回転部のそれぞれの上記内壁、上記外壁または固定用の支柱がつなぎ合わされていることを特徴とする請求項６に記載の回転可球体玩具。
【請求項８】
上記回転部のそれぞれの頂点に１つ柱形の移動ボタンが備えられており、
上記移動ボタンには上側と下側があり、両側の間に溝があることを特徴とする請求項２に記載の回転可球体玩具。
【請求項９】
上記球体の外側に若干の装飾部が備えられており、
上記装飾部は上記回転部のそれぞれから繋ぎ合わされた球体の表面に置かれることを特徴とする請求項１から請求項８までの何れか１項に記載の回転可球体玩具。
【請求項１０】
上記外装飾部の表面にレリーフがあり、或いは、平面の図案が印刷されていることを特徴とする請求項９に記載の回転可球体玩具。
【考案の詳細な説明】
【技術分野】
【０００１】
本考案は、回転可球体玩具に関するものである。
【背景技術】
【０００２】
ルービック・キューブ(Rubik's Cube：登録商標)として一番最初の形は、ハンガリーの建築学部の教授エルノ・ルビック(Erno Rubik)が生徒たちに確率の順列(Permutation)を教えるために設計した教具である。この最初のルービック・キューブ（登録商標）は３×３×３の立方体で、全部で２７個小さい立方部があり、自由に中心部をめぐって回すことができる。ルビック教授は、生徒たちによく理解させるために、それらの小さい立方部の表面に違う色で塗りつけた。このような教具は１種の知力開発のおもちゃとされて広く伝えられていく。いまでは市場に販売されるルービック・キューブ（登録商標）にはいろいろな形がある。前記立方体の形以外、回転可球体の形もある。例えば、ハンガリー地球儀(Hungarian-Globe)、マジックボール(Magic Ball)、またケーボール(K-Ball)もこの形の回転可球体玩具である。
【考案の開示】
【考案が解決しようとする課題】
【０００３】
前記回転可球体玩具は、主な移動部は三つの軸に置き各壁を連接する小輪である。その移動できる小輪はいくつかの移動部まで解体できないので、回転可球体玩具の複雑度を引き上げることはできない、したがって、このような回転可球体玩具は十分な知力開発効果を奏することができない。
【０００４】
このため、本考案の主な目的は、大きな知力開発効果を奏する回転可球体玩具を提供することである。
【課題を解決するための手段】
【０００５】
上記の技術課題を解決するために、本考案は以下の技術案を採用する。すなわち、いくつかの回転部からできた回転可球体玩具を提供することである。これらの回転部はつなぎ合わせて１つの球体を組み立てる。隣の回転部はレールと溝の協力によってきつく繋がること、自由に滑ることができる。なお、上記回転可球体玩具は、換言すれば回転可球体ルービック・キューブ（登録商標）ともいえる。
【０００６】
上記の技術案の改善案として、レールは隣り合わせている回転部の間に置き、前記溝は各回転部に付けられていることである。
【０００７】
上記の技術案の改善案として、前記各レールは“T”の形を呈して、横の方向の接続部と縦の方向の接続部をもっている。二つ隣り合っている回転部は、各自の横接続部の両端に溝がある。
【０００８】
上記の技術案の改善案として、前記各回転部が畳んである一枚内壁と一枚外壁からできたものである。内壁と外壁とのへりの間のところは前記溝になる。
【０００９】
上記の技術案の改善案として、前記各回転部の内壁の表面のへりに発展方向が隣りあっているへりと同様の凹む溝がある。前記各レールの横連接部の両端とも鈎がつけられる。レールは二つ隣りの回転部に挟まれる時、レールの鈎は内壁の凹む溝にのこる。上記の技術案の改善案として、前記各回転部の頂点に１つ柱形の移動ボタンがある。その  移動ボタンは上端と下端があり、両端の間に溝がある。上記の技術案の改善案として、前記回転可球体玩具は、球体の外に若干の装飾部がある。これらの装飾部は各回転部による繋ぎ合わせる球体の表面に付けられる。
【００１０】
上記の技術案の改善案として、前記外装飾部の表面にレリーフがあり、或いは、平面の図案が印刷される。
【考案の効果】
【００１１】
本考案の回転部はレールと溝の協力によってつなぎ合わせるものであるから、製品は各レールに沿って回転することができる。各回転部がよく連接でき、知力開発の効果は大きくなる。また、本考案の外装飾部は自由に外して交換できる。本製品の実施の形態としては球体パズルの形もあり、マジック回転球の形もある。
【考案を実施するための最良の形態】
【００１２】
本考案の一実施形態について図１ないし図３に基づいて説明すれば、以下の通りである。本実施の形態に係る回転可球体玩具は、いくつかの回転部（図解に明記されない）、レール２、移動ボタン３及び外装飾部４を含める。全ての回転部は八個あって、共に１の空腹の球体を組み立てる。１つの回転部は三つの外装飾部４を有している。レール２は隣り合っている二つの回転部の間にある。移動ボタン３は各回転部の頂点の間にある。外装飾部４は回転部からできた球体の外表面に据え付けて、自由に交換でき球面の図案に用いて、全部で二十四個がある。
【００１３】
一つの回転部は内壁１２、外壁１４及び固定支柱１６を含める。固定支柱１６は、固定用の支柱である。その固定支柱１６、内壁１２及び外壁１４は内から外へ順序にねじ（図解に表示されない）で連接して畳んである。そのほか、内壁１２のへりと外壁１４のへりの間にレール（後に説明する）を挟む溝がある。ねじは勿論、リベットなどを使っても前に述べた固定支柱１６、内壁１２と外壁１４を連接し合わせて畳むことができる。その内壁１２の表面のへりに発展方向が隣りあっているへりと同様の凹む溝１２２がある。その固定支柱１６は三つの回転部を纏めて固めるから、３本お互いに垂直するレールは向かい合って移動できるので、レールがハングアップになることはない。１つのレールはおおかた“T”の形を呈して、横の方向の横連接部２２と縦の方向の接続部２４をもっている。そのレール２の横連接部２２の両端とも鈎２２２がある。レール２は二つ隣り合っている回転部に挟まれる時、二つ回転部の溝はレール２の横連接部２２の両端に挟まれて、レール２の鈎２２２は同時に内壁１２の凹む溝にのこる。この場合、回転部はレール２に沿って向かい合って移動できる。前記移動ボタンは八個の回転部の６個の頂点の上端にあって、回転動作に協力する。移動ボタン３は柱形を呈して，上段３２と下段３４がある。上段３２・下段３４の間のところは溝３６になる。回転部が各レール２のレールを沿って回転する場合、内壁１２のへりはちょうど移動ボタン３の溝３６に置いて、回転部はハングアップになることはない。外装飾部４の下に突き出た栓４２がある。栓４２を外壁１４にさし込む時、外装飾部４を回転部の表面に固めることができる。
【００１４】
本考案の回転可球体玩具を組み立てる時、まずレール２を内壁１２と外壁１４の間に置いて、レールを立てる。そして、固定支柱１６を内壁１２の内側に付けてから、レール２が内壁１２と外壁１４に挟まれるようにねじで内壁１２、外壁１４及び固定支柱１６を連接する。このように何回も繰り返してから、レール２を連れた回転部を複数組み立てる。移動ボタン３を各回転部の頂点の間に置く。上記の方法で空腹の回転可球体玩具の骨組みを立てる。外装飾部４をその回転可球体玩具の骨組の表面に据え付けて、最後にある特殊な設計通りレリーフ或いは平面の図案を外装飾部４の表に印刷して、完成品を作り終わる。本考案の回転可球体玩具は、各回転部が三つのお互いに垂直するレールを沿って自由に回転する、八個の回転部は球体の表面で自由に位置を交換できる。
【００１５】
上述のレール２は本考案の１つの好ましい実施の形態である。そのレール２以外、他の方式により回転部とレール、溝を連接することもできる。例えば、隣の二つ回転部のへりに対応する溝と突出道を設計することも好ましい方式である。上に説明した実施の形態に係る回転可球体玩具は八個の回転部からできたものである。一つ回転部の表面に外装飾部４は三つがある。本番に実施になる場合に、回転部また外装飾部４の数量は製品の知力開発の目標効果によって、この数に限らない。
【００１６】
本考案は、回転部がレールと溝の協力によってつなぎ合わせるものであるから、各レールに沿って自由に回転でき、よくつなぎ合わせてよく滑られて、利用者の知力を大いに高められる。本考案の外装飾部４は自由に交換できる。本製品の他の実施形態としては球体パズルもあり、マジック回転球もある。
【図面の簡単な説明】
【００１７】
【図１】本実施の形態に係る回転可球体玩具のモジュールの解体説明図である。
【図２】図１に表示された多数の内壁の説明図である。
【図３】図１に表示された多数のレール及び移動ボタンの説明図である。
【符号の説明】
【００１８】
２      レール
３      移動ボタン
４      外装飾部
１２    内壁
１４    外壁
１６    固定支柱
２２    横連接部
２４    接続部
３２    上段
３４    下段
３６    溝
１２２  溝
２２２  鈎
【図１】
0003124602.tif 000003
【図２】
0003124602.tif 000004
【図３】
0003124602.tif 000005